(57)【要約】【課題】室内の通気性と清掃とが、簡単にできる犬小屋の提供を目的とする。【解決手段】底板の対向するそれぞれの辺に第１の側壁である台形壁を設けると共に、この台形壁のそれぞれの傾斜辺に第２の側壁である固定壁と開閉壁とを配設した。台形壁の頂部側で平坦面を形成すると共に、開閉可能な状態で天板を配設して犬小屋とした。この犬小屋は、天板と第２の側壁である一方の開閉壁とを開放することで通気性を改善し、開閉壁を掃き出し口とすることで、室内の清掃を容易にした。【選択図】        図１
2004261163.tif 000002
【特許請求の範囲】
【請求項１】
方形の底板と、
この底板の互いに対向するそれぞれの辺から起立した状態で配設した台形壁よりなり、その一方側に出入口を設けた第１の側壁と、
この第１の側壁を形成する台形壁の傾斜辺と前記底板とを覆う１対の側壁よりなり、その一方を固定した状態で配設した固定壁と、他方を開閉可能な状態で配設した開閉壁とからなる第２の側壁と、
前記台形壁の頂部側で平坦面を形成するように配設すると共に、開閉可能な状態に形成した天板とからなる犬小屋。
【請求項２】
方形の底板と、
この底板の互いに対向するそれぞれの辺から起立した状態で配設した台形壁よりなり、その一方側に出入口を設けた第１の側壁と、
この第１の側壁を形成する台形壁の傾斜辺と前記底板とを覆う１対の側壁よりなり、その一方を固定した状態で配設した固定壁と、他方を開閉可能な状態で配設した開閉壁とからなる第２の側壁と、
前記台形壁の頂部側で平坦面を形成するように配設すると共に、開閉可能な状態に形成した天板と、
この天板の下側で収納用のポケットを形成するように配設され、前記開閉壁とは蝶番を介して直交する状態で配設すると共に、前記天板とは斜交するように取付けた天井とからなる犬小屋。
【請求項３】
方形の底板と、
この底板の互いに対向するそれぞれの辺から起立した状態で配設した台形壁よりなり、その一方側に出入口を設けた第１の側壁と、
この第１の側壁を形成する台形壁の傾斜辺と前記底板とを覆う１対の側壁よりなり、その一方を固定した状態で配設した固定壁と、他方を開閉可能な状態で配設した開閉壁とからなる第２の側壁と、
前記台形壁の頂部側で平坦面を形成するように配設すると共に、開閉可能な状態に形成した天板と、
前記第２の側壁を形成する固定壁に配設され、前記天板への階段となる昇降台とからなる犬小屋。
【発明の詳細な説明】
【０００１】
【発明の属する技術分野】
本発明は、側壁を開閉可能な状態に形成することにより、内部の掃除を容易にしたり、通風状況を選択したりできると共に、天板上も有効活用して動物の生活環境を改善した犬小屋に関する。
【０００２】
【従来の技術】
本発明の従来例としては、犬小屋の全周壁面に扉を開閉可能な状態で設け、扉を全開状態に設定してから、ねじ止めにより固定することで通風を得たり、屋根部分を上昇させて固定することで、天井からも風の出入りができるようにしたりするものがある。（例えば特許文献１参照）
また、天井部分を有効活用する犬小屋としては、屋根の頂部下側に収納ケースを、スライド可能に配設して、ブラシ等を収容可能にしたものがある。（例えば特許文献２参照）
【０００３】
【特許文献１】
特開２００１−２０４２８９号公報
【特許文献２】
特開平１１−８９４６９号公報
【０００４】
【発明が解決しようとする課題】
特許文献１に示す犬小屋は、屋根を上昇させたり、全周壁面に扉を設けたりすることで通風効果を得ることはできるが、それぞれの操作が扉のねじ止めによる固定方式であり面倒であった。扉は通風の調整ができない全開又は閉鎖のどちらか一方しか選べない構造であった。
また、全周囲に扉を設けても、犬小屋は一般に建物に隣接配置することが多く、開閉ができない場所も発生して、全周壁の扉を開くには広い設置場所が必要であった。
屋根を上昇させる構造も複雑であり、扉の開閉も含めて操作が面倒なので、その日の天候に合せて通気状態を簡単に調整することが困難であった。
特許文献２に示す収納ケースを有する組立式犬小屋は、屋根形の頂部内空間を有効活用しているが、専用の収納ケースや、スライド可能な状態に形成する部品などを必要として、高価になるだけでなく、全体の構造が複雑になってしまうという欠点があった。
本発明は、このような不具合を解消するためになされたものであり、簡単な操作で通風状況を変えることができると共に、室内の清掃が簡単にできる犬小屋の提供を目的とする。
【０００５】
【課題を解決するための手段】
上記不具合を解決するために、本発明は次のような構成としている。
請求項１に記載した犬小屋は、底板の対向する辺のそれぞれから起立状態で１対の台形壁を設けて、これらを第１の側壁とした。台形壁の一方には出入口を有し、この１対の台形壁の傾斜辺と前記底板とを覆う１対の第２の側壁を設けた。この第２の側壁の一方を固定して固定壁となし、他方を開閉可能に配設して開閉壁とした。
前記台形壁の頂部側で平坦面を形成すると共に、開閉可能な状態で天板を設けることで犬小屋とした。
この犬小屋は、第２の側壁の一方と天板とを、開閉可能に形成することで、それぞれの面から通風可能とした。また、天板は平坦面を形成するように配設したので、天板上で寝そべることができるようにした。
請求項２に記載した犬小屋は、請求項１に記載した犬小屋の天板の下部に収納用のポケットを形成した。その構成としては前記第２の側壁を形成する開閉壁とは蝶番を介して直交する状態で配設すると共に、前記天板とは斜交するように天井を取付けることで収納用ポケットを有する犬小屋とした。
このような犬小屋は、天井を開くとその下側にポケットが存在して、ここにペット用具等を収容するようにしたものであり、犬小屋を形成する壁面の組合せにより、特別な部品を必要とすることなく収納用のポケットを形成した。
請求項３に記載した犬小屋は、請求項１に記載した犬小屋の第２の側壁を形成する固定壁に、前記天板への階段となる昇降台を設けることで犬小屋とした。
この昇降台を利用して、天板上へ登ったり降りたりして、天板上で寝そべることができるようにした。
【０００６】
【発明の実施の形態】
本発明について、図面を参照して説明する。図１は本発明の犬小屋を示す斜視図、図２は図１で示す天板と第２の側壁の可動状況を示す説明図、図３は図２の分解斜視図である。
図１で示すように本発明の犬小屋１０は、対向配置してその一方に出入口を設けた１対の台形の壁面よりなる第１の側壁２０と、この第１の側壁の両端に接合した傾斜壁よりなる第２の側壁３０と、これらの第１の側壁２０と第２の側壁３０との頂部に配設して平坦面よりなる天板４０と、この天板上に登り降りするために設けられ、前記第２の側壁の一方に設けた昇降台５０とからなる。
このような犬小屋１０は、図２で示すように天板４０が、図中の矢印Ａで示す方向に回転移動することができると共に、天板４０の下方には収納用のポケット４５を設けて、ペットの用具等を収納することができる。
また、第２の側壁の一方側も、図中の矢印Ｂで示す方向に回転移動することができて、小屋内の通気を調整したり、清掃用の掃出口としたりすることができる。
図３で示すようにこの犬小屋１０は、方形の底板１２の対向するそれぞれの辺に、台形よりなる第１の側壁２０を配置した固定ブロック１１と、この固定ブロックの開放部を覆う可動ブロック３１とに区分することができる。
固定ブロック１１は、厚板よりなる方形の底板１２と、この底板に設けた１対の台形壁よりなり、その一方にはペットの出入口を設けている。
可動ブロック３１は、第２の側壁３０の一方と蝶番を介して設けた天板４０とからなるブロックと、第２の側壁３０の他方側とポケット４５の底面を構成すると共に、蝶番を介して設けた天井４２とのブロックとからなる。
このような固定ブロック１１と可動ブロック３１とを形成する第１の側壁２０と第２の側壁３０及び天板４０等について、図面を参照して更に詳細に説明する。
【０００７】
図４は図３で示す固定ブロックの分解説明図、図５は同じく可動ブロックを示す説明図である。
図４で示すように固定ブロック１１は、方形の各角部に立方体又は柱状よりなる足１３を設けた底板１２と、この底板の対向辺のそれぞれに台形よりなる台形壁２２を設けている。
この台形壁の一方には、ペットの出入口２５を設けた台形壁２４として、この出入口２５の周囲を囲むように枠形のカバー２６を取付けている。このカバー２６は犬小屋内に雨などの浸入を防止するカバーである。
底板１２と第１の側壁２０である台形壁を組立てる為に、台形壁のそれぞれにＬ形のアングルよりなる取付具２８を取付けている。この取付具２８は、図示しないボルトやナット又はねじ等を利用して、台形壁と底板とを固着するものである。
また、台形壁同士の対向する傾斜部にも取付具２８が設けられ、ここに前述した第２の側壁を取付けるが詳細は後述する。
尚、第１の側壁や第２の側壁に、Ｌ形のアングルを用いて組み立てるように説明したが、Ｌ形のアングルを使用せずに、第１の側壁を足１３に固着したり、第１の側壁に溝を設けて、第２の側壁をはめ込むようにしたりしても良い。
【０００８】
可動ブロック３１は、図５で示すように固定ブロック１１の開放部を覆うものであり、固定ブロック１１に第２の側壁を形成する一方を固着して固定壁３２となし、他方を開閉可能に取付けて開閉壁３４としたものである。この固定壁３２と開閉壁３４とは、逆に取付けることも可能である。
固定壁３２の頂部側には、蝶番を介して天板４０を取付けることで、図中の矢印Ｂで示す方向に天板４０を回転移動するようにしている。
また、開閉壁３４の頂部側には、蝶番３８を介して天井４２を取付けると共に、天井４２を第１の側壁２０である台形壁に、図中の１点鎖線で示すように、傾斜した状態で取付けることにより、前述したポケットを形成すると共に、開閉壁３４が図中の矢印Ａで示す方向に回転移動するようにしている。
固定壁３２と天井４２とは、図４で示した取付具２８を用いて取付けることにより、第１の側壁２０である台形壁とで箱形に形成され、強固な犬小屋１０が形成される。
天井４２は、台形壁の頂部に対して斜めに配置されることで、ポケット４５が形成されると共に、天井４２の傾斜した先端側と固定壁３２の間に間隙４６を設けるように配置することで、この間隙４６が犬小屋天井部の通気口の役目をはたしている。
台形壁の頂部側は天板４０で覆われているために、天板４０を図２で示したように開くことによって、天井４２部分の通気が可能となるものである。
【０００９】
このように形成した犬小屋１０の天板４０と開閉壁３４の作用について、図面を参照して説明する。図６は犬小屋の作用説明図である。
図６で示すように天板４０を開くと、蝶番の作用で固定壁３２と略平行状態になる迄開くことができる。この状態は前述したように、犬小屋の通気作用を必要としたり、収納部としてのポケット４５を利用したりする際に行う開閉である。
開閉壁３４は、開いた天板４０の先端部に当接した状態に迄開くことができるように設定している。この状態は犬小屋内の清掃時に行う開閉である。
図６で示す状態を維持させる為に、図示しないが天板４０と開閉壁３４とを結合させる固定具を用いている。この固定具は針金や金属棒をコ字形に折曲して形成したもので壁面等に設けた孔等に挿入することで両者を固定している。
また、これらの天板４０と開閉壁３４とを全開させないで、開き角度を調整できる開閉用の角度設定具５５を用いており、これについて図面を参照して以下に説明する。
【００１０】
図７は可動壁用の角度設定具を示す斜視図、図８は図７の使用例を示す説明図である。
図７で示すように角度設定具５５は、１対の三角形よりなる挟持板５６の間に、挟持板の三角形よりも小さな相似形よりなる中間板５７を配置させて、それぞれを一体化したものである。
中間板５７の板厚を台形壁２４の板厚と同じにすることで、角度設定具５５を起立した状態で支持させることができる。これは１対の挟持板５６で台形壁の両面を挟むと共に、中間板と台形壁との切断面を互いに当接させることで、角度設定具５５を台形壁の頂部や傾斜面に取付けることができるものである。
角度設定具５５の外形形状としては、二等辺三角形や直角三角形又は各辺を不等辺とした三角形に設定することも可能である。
【００１１】
このように形成した角度設定具５５について、その使用例を説明する。
図８で示すように角度設定具５５は、犬小屋を形成する台形壁２４の天板４０と当接する頂部側や、開閉壁３４と当接する傾斜辺側に取付けして用いる。
取付けた角度設定具５５は、図中の矢印で示す方向に移動させることで、それぞれの可動する壁面の開閉角度を変えることができる。すなわち、天板４０と開閉壁３４との蝶番側に、角度設定具５５を移動させると開き角度が大きくなり、蝶番から離れるに従って、開き角度が小さくなるものである。
台形壁の頂部側に取付けた角度設定具の如く、その形状を直角不等辺三角形に設定することによって、より大きな開き角度を得ることができるものである。
また、この角度設定具５５は、三角形の複合体を使用する他に、長方形の板材等を用いると共に、その両端を天板４０の裏面と天井４２とに当接させて、図中の点線で示すように支持させることで、天板４０を開いた状態に維持させることができる。
【００１２】
図１で示した昇降台５０について、図面を参照して説明する。図９は昇降台を示す説明図である。
図９で示すように昇降台５０は、長方形の板体よりなり、適当な間隔を持って滑止め５２を設けている。この滑止め５２は、昇降台５０に設けた凹溝又は凸溝などよりなり、移動中に滑らないように配慮したものである。
このような昇降台５０は、犬小屋を形成する固定壁３２に対して斜めに取付けている。この昇降台５０は、固定壁２４の両端から突出した腕状の取付板５４を設けて、この取付板に支持させている。
このように取付けた昇降台５０は、ペットが天板上に乗るためのものであり、天板上で遊んだり昼寝をしたりする際の階段である。したがって天板４０は開閉壁側に延出されて、遊びのスペースを確保している。
この昇降台５０を固定壁３２側に取付けることで説明したが、開閉壁３４側に配設すると共に、天板４０を固定壁３２側に延出して、遊びのスペースを確保する構成でも良い。
【００１３】
このように構成した犬小屋を使用するには、図１で示した状態で用いる。また、出入口の前側にバルコニーやテラス等を設けて使用することも可能である。
ポケット４５にペット用具を出し入れするには、図２で示すように天板４０を開いて行う。小屋内に通気が必要な場合は、図８で示すように角度設定具５５を用いて、天板４０や開閉壁３４を開くことで行うことができる。開閉壁３４を開くと掃出口となるので、小屋内の掃除が簡単にできる。
天板上を屋上として用いるには、図１の状態で昇降台５０を利用させる。これは昇降台を数回往復させることで、ペットは簡単に覚えるものである。
天井４２からの通気は、固定壁３２との間に間隙を設けることで説明したが、間隙を設けることなく天井に複数の小孔などを設けることでも対応することができる。
この犬小屋は、それぞれの壁面を厚板で形成することによって、構造を単純化することができた。また、台形壁を用いることにより、屋根と側壁とを兼ねるような構成となるから、側壁を全開させることができると共に、垂直の壁面よりも天板上にペットが登り易くなっている。その結果、昇降台の幅を狭くすることができた。
【００１４】
【発明の効果】
以上説明したように本発明によれば、１対の台形壁と傾斜壁とを用いて犬小屋を形成したことにより、以下の効果を得ることができた。
すなわち、第１の側壁である１対の台形壁と、第２の側壁である固定壁及び天井とによって、強固な枠体が形成できたので、天板と第２の側壁の一端側を開閉することが可能となった。その結果、犬小屋の通気と掃除とが簡単にできるようになった。
また、天板と天井との間に屋根裏室ができたので、ここをポケットとしてペット用品を収納することができるようになった等の効果を得ることができた。
【図面の簡単な説明】
【図１】本発明の犬小屋を示す斜視図である。
【図２】図１で示す天板と第２の側壁の可動状況を示す斜視図である。
【図３】図２の分解斜視図である。
【図４】図３で示す固定ブロックを分解した説明図である。
【図５】図３で示す可動ブロックを分解した説明図である。
【図６】犬小屋の作用説明図である。
【図７】可動壁用の角度設定具を示す斜視図である。
【図８】図７の使用例を示す説明図である。
【図９】図１で示す昇降台を分解した説明図である。
【符号の説明】
１０  犬小屋
１２  底板
２０  第１の側壁
２２  台形壁
２４  台形壁
２５  出入口
３０  第２の側壁
３２  固定壁
３４  開閉壁
４０  天板
４２  天井
４５  ポケット
５０  昇降台
５５  角度設定具
【図１】
2004261163.tif 000003
【図２】
2004261163.tif 000004
【図３】
2004261163.tif 000005
【図４】
2004261163.tif 000006
【図５】
2004261163.tif 000007
【図６】
2004261163.tif 000008
【図７】
2004261163.tif 000009
【図８】
2004261163.tif 000010
【図９】
2004261163.tif 000011